(57)【特許請求の範囲】
【請求項１】
投入されたメダルを検知するメダルセレクタを備えた遊技機であって、
前記メダルセレクタは、
前記投入されたメダルが通過するメダル流路と、
前記メダルが前記メダル流路を通過することができるように当該メダルを支持するとともに、前記メダルを支持するための支持位置と、前記メダルを前記メダル流路から排出するための排出位置とに移動可能なガイド部材と、
前記ガイド部材により支持されたメダルを検知することが可能な位置に設けられた第一センサとを備え、
前記メダル流路は、起立状態で通過する前記メダルの円形表面に対向する壁面部を有し、
前記第一センサは、前記メダル流路の前記壁面部に設けられた踏み板状の可動部材を有し、
前記壁面部における前記メダルの通過方向に直交する方向の長さを壁面部長さとしたときに、前記可動部材は、前記メダルの通過方向に直交する方向に沿う方向の長さが前記壁面部長さとほぼ同じ長さに形成され、
前記可動部材は、
前記メダル流路の上流側に設けられる第一面部と、
前記第一面部よりも下流側に設けられ、前記第一面部とは異なる角度に設定される第二面部と、を有する
ことを特徴とする遊技機。
【請求項２】
投入されたメダルを検知するメダルセレクタを備えた遊技機であって、
前記メダルセレクタは、
前記投入されたメダルが通過する流路として、第一メダル流路及び当該第一メダル流路よりも下流に位置する第二メダル流路とを有するメダル流路と、
前記第一メダル流路に設けられ、前記メダルが前記第一流路を通過することができるように当該メダルを支持するとともに、前記メダルを支持するための支持位置と、前記メダルを前記メダル流路から排出するための排出位置とに移動可能なガイド部材と、
前記第二メダル流路に設けられた第一センサと、
前記第二メダル流路に設けられ、前記第一センサが前記メダルを検知している期間のうちの少なくとも一部の期間において当該メダルを検知する第二センサと、を備え、
前記第二メダル流路は、起立状態で通過する前記メダルの円形表面に対向する壁面部を有し、
前記第一センサは、前記第二メダル流路の前記壁面部に設けられた踏み板状の可動部材を有し、
前記壁面部における前記メダルの通過方向に直交する方向の長さを壁面部長さとしたときに、前記可動部材は、前記メダルの通過方向に直交する方向に沿う方向の長さが前記壁面部長さとほぼ同じ長さに形成され、
前記第二センサが前記メダルを検知している間は、前記第一センサが当該メダルを検知しており、
前記遊技機の制御部は、少なくとも、前記メダルを検知したことを示す検知信号を前記第一センサと前記第二センサの両方から受信したことにもとづいて、当該メダルを検出したものと判定する
ことを特徴とする遊技機。
【請求項３】
前記メダルセレクタは、前記メダル流路を通過するメダルが逆流するのを防止可能な第三センサを備え、
前記制御部は、前記第一センサと前記第二センサと前記第三センサからそれぞれ出力される検知信号にもとづいて、前記メダルの検出を判定する
ことを特徴とする請求項２記載の遊技機。
【請求項４】
前記制御部は、前記検知信号にもとづいて、前記第一センサと前記第二センサと前記第三センサのそれぞれがＯＮ又はＯＦＦのいずれの状態であるかを判断し、
時系列順に、前記第一センサがＯＮとなり、前記第二センサがＯＮとなり、前記第三センサがＯＮとなり、前記第二センサがＯＦＦとなり、前記第三センサがＯＦＦとなり、前記第一センサがＯＦＦとなるように、前記第一センサと前記第二センサと前記第三センサが前記メダルセレクタに配置された
ことを特徴とする請求項３記載の遊技機。
【請求項５】
前記第二センサからの検知信号にもとづいてクレジットの枚数をカウントするカウント部と、
このカウント部でカウントされた前記クレジットの枚数が所定枚数に達すると、前記ガイド部材を前記支持位置から前記排出位置まで移動させるガイド部材制御部とを備え、
前記ガイド部材が、前記メダル流路の一方の側部において、当該メダル流路の上流側から下流側に向かう方向に沿って、所定の長さにわたって配置されており、
前記カウント部でカウントされると前記所定枚数となるメダルを前記第二センサが検知してから、前記ガイド部材が排出位置に移動するまでの時間をガイド部材移動時間とすると、
前記ガイド部材移動時間が開始してから終了するまでの間に前記次のメダルが前記メダル流路を移動しても当該次のメダルが前記メダル流路から排出されるように、前記ガイド部材の下流側の端部が前記メダル流路を挟んで前記第二センサに対向する位置の近傍に位置する
ことを特徴とする請求項２〜４のいずれかに記載の遊技機。
【請求項６】
前記遊技機の制御部は、前記第一センサから出力された検知信号のＯＮ時間が所定期間以上継続することにもとづいて、所定の処理を実行する
ことを特徴とする請求項１〜５のいずれかに記載の遊技機。
【発明の詳細な説明】
【技術分野】
【０００１】
本発明は、遊技機に関する。
【背景技術】
【０００２】
遊技用のメダルを用いて遊技を行う遊技機としてスロットマシンが知られている。
この種のスロットマシンにおいては、所定のメダル投入口に投入されたメダルを検知するメダルセレクタが設けられている（例えば、特許文献１参照。）。
メダルセレクタには、少なくともメダル投入口から投入されたメダルをスロットマシン内部に誘導する流路が形成されており、この流路には、投入されたメダルを検知するフォトセンサ等の検知手段が設けられている。
また、スロットマシンには、遊技の進行を制御する主制御部が備えられており、検知手段から出力された、メダルを検知したことを示す検知信号を入力すると、その検知されたメダルの枚数をカウントし、このカウント値をクレジットとして記憶するようになっている。
【先行技術文献】
【特許文献】
【０００３】
【特許文献１】特開２００５−３４２３９７号公報
【発明の概要】
【発明が解決しようとする課題】
【０００４】
しかしながら、従来の遊技機については、改良の余地があった。
【課題を解決するための手段】
【０００５】
本発明の遊技機は、投入されたメダルを検知するメダルセレクタを備えた遊技機であって、メダルセレクタは、投入されたメダルが通過するメダル流路と、メダルがメダル流路を通過することができるように当該メダルを支持するとともに、メダルを支持するための支持位置と、メダルをメダル流路から排出するための排出位置とに移動可能なガイド部材と、ガイド部材により支持されたメダルを検知することが可能な位置に設けられた第一センサとを備え、メダル流路は、起立状態で通過するメダルの円形表面に対向する壁面部を有し、第一センサは、メダル流路の壁面部に設けられた踏み板状の可動部材を有し、壁面部におけるメダルの通過方向に直交する方向の長さを壁面部長さとしたときに、可動部材は、メダルの通過方向に直交する方向に沿う方向の長さが壁面部長さとほぼ同じ長さに形成され、前記可動部材は、前記メダル流路の上流側に設けられる第一面部と、前記第一面部よりも下流側に設けられ、前記第一面部とは異なる角度に設定される第二面部と、を有する構成としてある。
【図面の簡単な説明】
【０００６】
【図１】本発明の実施形態におけるスロットマシンの構成を示す正面図である。
【図２】スロットマシンの内部構成を示す斜視図である。
【図３】メダルセレクタの構成を示す図であって、（ｉ）は正面図、（ii）は背面図である。
【図４】監視センサの構成を示す図であって、（ｉ）は正面図、（ii）は（ｉ）のＤ−Ｄ断面図である。
【図５】メダルセレクタの断面図（図３（ｉ）のＡ−Ａ断面図）であって、ブロッカーがメダルを支持している状態を示す図である。
【図６】メダルセレクタの断面図（図３（ｉ）のＢ−Ｂ断面図）であって、メダル流路にメダルが無い状態を示す図である。
【図７】メダルセレクタの断面図（図３（ｉ）のＢ−Ｂ断面図）であって、メダルが監視センサの踏み板部に接触した状態を示す図である。
【図８】メダルセレクタの断面図（図３（ｉ）のＢ−Ｂ断面図）であって、メダルからの押圧により監視センサの踏み板部が監視センサ用凹部に収納された状態を示す図である。
【図９】メダルセレクタの正面図であって、監視センサ、投入検知センサ、出口センサがＯＮ又はＯＦＦの状態となるときのメダルの位置を示す図である。
【図１０】メダルセレクタを斜め下方向から見たときの外観斜視図である。
【図１１】監視センサから出力された検知信号Ｐ１の波形を示す波形図であって、（ｉ）は監視センサが正規のメダルを検知したときの検知信号の波形図、（ii）はＯＮ時間が閾値よりも長い検知信号の波形図である。
【図１２】メダルセレクタの断面図（図３（ｉ）のＣ−Ｃ断面図）であって、メダル流路にメダルが無い状態を示す図である。
【図１３】メダルセレクタの断面図（図３（ｉ）のＣ−Ｃ断面図）であって、メダルからの押圧により監視センサの踏み板部が監視センサ用凹部に収納された状態を示す図である。
【図１４】メダルセレクタの断面図（図３（ｉ）のＣ−Ｃ断面図）であって、メダルからの押圧により出口センサの被接触部が出口センサ用凹部に収納された状態を示す図である。
【図１５】メダルセレクタの断面図（図３（ｉ）のＣ−Ｃ断面図）であって、逆流してきたメダルが出口センサに当接している状態を示す図である。
【図１６】メダルセレクタの正面図であって、不正器具に設けられる円板状の部材が投入検知センサの近傍に位置した状態を示す図である。
【図１７】監視センサ、投入検知センサ、出口センサからそれぞれ出力された検知信号Ｐ１〜Ｐ３の波形を示す波形図とメダル検知パターンとを示す図である。
【図１８】メダルセレクタの断面図（図３（ｉ）のＡ−Ａ断面図）であって、ブロッカーがメダルを支持しておらず、メダルが排出される状態を示す図である。
【図１９】メダルセレクタの正面図であって、投入検知センサにより検知されるメダルの位置と、このメダルに連続して投入されたメダルの位置を示す図である。
【発明を実施するための形態】
【０００７】
以下、本発明に係る遊技機の好ましい実施形態について、各図を参照して説明する。
【０００８】
［遊技機］
投入された遊技用のメダルを検知するためのセンサを備えた遊技機には、スロットマシン、雀球、アレンジボールなど様々な機類があるが、本実施形態では、本発明をスロットマシンに適用した場合について説明する。
【０００９】
本実施形態のスロットマシンは、複数のリールを回転させることによって遊技媒体であるメダルを獲得できる回胴式遊技機として構成されており、このスロットマシンの正面に設けられたメダル投入口と、このメダル投入口に投入されたメダルを検知するメダルセレクタとを備え、このメダルセレクタが、投入されたメダルが通過するメダル流路と、このメダル流路を通過するメダルを検知するフォトセンサである投入検知センサと、この投入検知センサがメダルを検知している期間の前後に亘って当該メダルを検知する監視センサとを備えた構成となっている。
【００１０】
また、本実施形態のスロットマシンは、図１、図２に示すように、メダル投入口２から実際に投入されるメダルの数（例えば、３枚）、又は内部的に記憶されたクレジットメダルからベットボタン２ａの操作によって信号形式で投入されるメダルの数（例えば、３枚）に応じてゲーム開始可能な状態となり、この状態でスタートレバー３が操作（始動操作）されると、複数のリール４１（４１ａ〜４１ｃ）が回転を開始するとともに、それぞれのリール４１ａ〜４１ｃに対応する停止ボタン５（５ａ〜５ｃ）が押圧操作されると、スタートレバー３の操作タイミングで行われる抽選処理の抽選結果に応じた図柄の組合せで停止するように各リール４１ａ〜４１ｃが停止制御され、停止した図柄の組合せに基づいて入賞の有無が判定され、判定結果に応じてメダル払出装置６からメダルが払い出されるという、通常のスロットマシン遊技を実現可能な構成を備えている。
【００１１】
このようなスロットマシン遊技を実現可能なスロットマシン１においては、メダル投入口２に投入されたメダルを検知するメダルセレクタ１０と、このメダルセレクタ１０から出力された検知信号にもとづいて当該メダルを検出する主制御部７が設けられている。
以下、本実施形態のメダルセレクタ１０及び主制御部７の構成について、図３〜図１８を参照しつつ説明する。
【００１２】
［メダルセレクタ及び主制御部の全体構成］
メダルセレクタ１０は、図１〜図３に示すように、メダル投入口２に投入されたメダルＭが起立状態で転動しながら通過する経路として形成されたメダル流路１１と、スタートレバー３の操作によって出力されるスタート信号に基づき、メダルセレクタ１０の裏側に設けられたソレノイド１２がオフすることで、メダル流路１１からメダルＭを排除し、当該メダルＭをメダル払出口６ａに誘導するブロッカー１３と、メダル流路１１においてブロッカー１３よりも上流側に設けられ、メダル投入口２に投入されたメダルＭを検知する投入口側検知センサ１４と、メダル流路１１においてブロッカー１３よりも下流側に設けられ、メダル流路１１を通過するメダルＭを検知するフォトセンサである投入検知センサ１５と、ブロッカー１３により支持されたメダルＭを検知することが可能な位置に設けられ、当該メダルＭを検知する監視センサ１６と、メダル流路１１を通過したメダルＭが当該メダルセレクタ１０の外部へ出ていくメダル出口１８（図３、図１０等参照）の近傍に設けられて当該メダルＭを検知する出口センサ１７と、を備えている。
【００１３】
この構成のうち、投入口側検知センサ１４、投入検知センサ１５、監視センサ１６、出口センサ１７は、メダル流路１１を通過するメダルＭを検知すると、検知したことを示す検知信号を出力して主制御部７へ送る。
【００１４】
主制御部７は、メインＣＰＵ、メインＲＯＭ、メインＲＡＭなどが一体化された制御用チップの搭載された主基板、これを収容する基板ケース等から構成され、メダルセレクタ１０に設けられた各センサ１４〜１７から出力された検知信号や、スタートレバー３、停止ボタン５などの各操作手段から出力された信号等を受信し、これらの信号に基づいて、筐体１ｂの内部に設けられたドラムユニット４やメダル払出装置６などの各装置を制御することで、スロットマシン遊技を進行させることができるようになっている。
また、主制御部７は、各センサ１４〜１７から出力された検知信号を入力し、これら検知信号にもとづいて、メダルＭがメダル流路１１を通過したことを検出するとともに、不正行為等の異常の発生についても検出可能となっている。
【００１５】
次に、これらメダルセレクタ１０及び主制御部７の詳細な構成について説明する。
【００１６】
［メダルセレクタ及び主制御部の詳細構成］
ここでは、次の事項について説明する。
（ａ）監視センサ
（ｂ）出口センサ
（ｃ）主制御部におけるメダルの検出
（ｄ）ブロッカー
（ｅ）メダル流路
（ｆ）投入口側検知センサ
【００１７】
（ａ）監視センサ
（ａ−１）構造及び動作
監視センサ１６は、本発明の第一センサとして機能するものであり、メダル流路１１を通過するメダルＭを検知する。
この監視センサ１６は、図３（ｉ）、（ii）に示すように、メダル流路１１を通過するメダルＭが接触することで変位する可動部材１６１と、この可動部材１６１の変位を検知する変位検知センサ１６２とを有している。
可動部材１６１は、図４（ｉ）、（ii）に示すように、メダル流路１１を通過するメダルＭが接触しこのメダルＭからの押圧を受けることで変位する踏み板状（フラップ状）の踏み板部１６１ａと、メダルセレクタ１０のベース部材である基部１９に軸支される軸支部１６１ｂと、踏み板部１６１ａの変位に伴って変位する被検知部１６１ｃとを有している。
変位検知センサ１６２は、可動部材１６１の被検知部１６１ｃの変位を検知すると、メダルＭを検知したことを示す検知信号を出力して主制御部７へ送る。
【００１８】
ここで、可動部材１６１は、メダル流路１１における次の箇所に設けられている。
メダル流路１１は、起立状態で通過するメダルＭの円形表面に対向する壁面部１１ａを有している。また、壁面部１１ａは、起立状態で通過するメダルＭの円形表面に対向する面である壁面部表面１１ｂを有している（図３（ｉ）、図５参照）。
【００１９】
可動部材１６１のうちの軸支部１６１ｂと被検知部１６１ｃは、メダル流路１１の壁面部１１ａにおいて壁面部表面１１ｂよりも裏側に位置している（図６参照）。
これに対し、踏み板部１６１ａは、全体的には、メダル流路１１の壁面部１１ａの壁面部表面１１ｂに沿うような状態で設けられるが、一部分が、壁面部表面１１ｂから斜め前方へせり出すような状態で設けられる。
【００２０】
この踏み板部１６１ａの構成について、さらに説明する。
踏み板部１６１ａは、薄い板状の部材であって、この薄い板状の一の表面（厚み方向に直交する表面のうちの一方の表面）を流路側表面１６１ｄとすると、この流路側表面１６１ｄが壁面部表面１１ｂの面方向に沿うような状態で、壁面部１１ａに設けられている。
ただし、踏み板部１６１ａの流路側表面１６１ｄは、起伏のない平坦な面ではなく、壁面部表面１１ｂから斜め前方へ次第にせり出すような形状の面として形成されている。
【００２１】
ここで、踏み板部１６１ａを壁面部１１ａに設ける場合において、矩形状の流路側表面１６１ｄにおける四つの辺のうち、メダル流路１１の上流側を向く辺を上流側辺１６１ｅとし、この上流側辺１６１ｅに対向する辺すなわちメダル流路１１の下流側を向く辺を下流側辺１６１ｆとする（図４、図６参照）。そして、この流路側表面１６１ｄを上流側辺１６１ｅから下流側辺１６１ｆに向かって辿っていったときに、この流路側表面１６１ｄは、傾斜角度に応じて、四つの面に分けることができる。
第一の面１６１ｇは、上流側辺１６１ｅを一辺とする面であり、上流側辺１６１ｅと下流側辺１６１ｆとを含む仮想の平面を踏み板部仮想面ＦＫとしたときに（図４（ii）参照）、この踏み板部仮想面ＦＫよりもせり出す方向に傾斜した面である。
第二の面１６１ｈは、第一の面１６１ｇに隣接する面であり、踏み板部仮想面ＦＫよりも窪む方向に傾斜した面である。
第三の面１６１ｉは、第二の面１６１ｈに隣接する面であり、踏み板部仮想面ＦＫよりもせり出す方向に傾斜した面である。
第四の面１６１ｊは、第三の面１６１ｉに隣接するとともに下流側辺１６１ｆを一辺とする面であり、踏み板部仮想面ＦＫよりも窪む方向に傾斜した面である。
【００２２】
この踏み板部１６１ａを壁面部１１ａに設ける場合、次のような状態で設けられる。
ここで、図６に示すように、壁面部１１の壁面部表面１１ｂと、この壁面部表面１１ｂを面方向に仮想的に延伸したときの当該面とを含む面を壁面部仮想面ＨＫとする。また、この壁面部１１ａにおいて踏み板部１６１ａが設けられる部分に凹設された窪みを監視センサ用凹部１１ｃとする。この場合において、踏み板部１６１ａのうち、第一の面１６１ｇは、監視センサ用凹部１１ｃの内部であって壁面部仮想面ＨＫよりも内側に設けられる。第二の面１６１ｈは、監視センサ用凹部１１ｃの内部であって壁面部仮想面ＨＫに沿う位置に設けられる。第三の面１６１ｉは、壁面部仮想面ＨＫと交差する位置に設けられる。すなわち、第三の面１６１ｉは、その一部（第二の面１６１ｈに接する側）が監視センサ用凹部１１ｃの内部に設けられ、他の一部（第四の面１６１ｊに接する側）が監視センサ用凹部１１ｃの外部に設けられる。第四の面１６１ｊは、監視センサ用凹部１１ｃの外部に設けられる。
【００２３】
このような位置に踏み板部１６１ａを設けることにより、メダル流路１１を通るメダルＭが踏み板部１６１ａの第三の面１６１ｉに接触し、このメダルＭが流下しながらその第三の面１６１ｉを押圧することで、当該踏み板部１６１ａが変位する（図６〜図８参照）。
すなわち、踏み板部１６１ａは、第一の面１６１ｇと第二の面１６１ｈと第三の面１６１ｉの一部が監視センサ用凹部１１ｃの内部に位置しており、第三の面１６１ｉの他の一部と第四の面１６１ｊが監視センサ用凹部１１ｃの外部において斜め方向に突出した状態で位置しているのに対し、メダルＭは、メダル流路１１を通過するときに、壁面部仮想面ＨＫに沿って通過する。このため、メダルＭは、当該メダルＭの流下方向の先端部が監視センサ用凹部１１ｃに差し掛かると、当該先端部が踏み板部１６１ａの第三の面１６１ｉに当接する（図７参照）。
【００２４】
そして、踏み板部１６１ａの第三の面１６１ｉは、傾斜面となっており、また、この踏み板部１６１ａの裏面において上流側辺１６１ｅに沿う位置に軸支部１６１ｂが形成されているので、第三の面１６１ｉに当接したメダルＭが、さらに流下しようとしてその第三の面１６１ｉを押圧すると、踏み板部１６１ａは、軸支部１６１ｂの中心軸を中心として回動し、第三の面１６１ｉ及び第四の面１６１ｊを含む踏み板部１６１ａの全体が監視センサ用凹部１１ｃに収納される（図８参照）。
なお、軸支部１６１ｂは、踏み板部１６１ａの裏面において上流側辺１６１ｅに沿う位置に形成されている。また、この軸支部１６１ｂを通る中心軸の軸方向が上流側辺１６１ｅに沿う方向となっている。これにより、踏み板部１６１ａは、軸支部１６１ｂの中心軸を中心として回動可能となっている。
【００２５】
この軸支部１６１ｂの中心軸を中心として踏み板部１６１ａが回動して変位することにより、被検知部１６１ｃも変位する。この被検知部１６１ｃの変位を検知した変位検知センサ１６２は、メダルＭを検知したことを示す検知信号を出力する。
一方、踏み板部１６１ａの全体が監視センサ用凹部１１ｃに収納された後は、メダルＭの流下方向前方に踏み板部１６１ａが存在しなくなるので、メダルＭは、さらにメダル流路１１を流下し続け、メダル出口１８を通り抜けて、外部に接続されたメダル誘導通路２０に進入する。
また、可動部材１６１は、踏み板部１６１ａにメダルＭが接触しなくなり、このメダルＭからの押圧を受けなくなると、付勢部材１６３による付勢により軸支部１６１ｂの中心軸を中心として回動し、踏み板部１６１ａの一部（第三の面１６１ｉの一部及び第四の面１６１ｊ）が監視センサ用凹部１１ｃの内部から外部へ移動して壁面部仮想面ＨＫから斜め前方にせり出した状態に復帰する（図６参照）。
【００２６】
このように、監視センサ１６は、メダル流路１１を通過するメダルＭを検知することができるが、踏み板部１６１ａは、さらに、メダル流路１１においてブロッカー１３により支持された状態のメダルＭを検知することが可能な位置に設けられている。
メダルＭは、図９に示すように、メダル流路１１を通過するときに、このメダル流路１１の一部において、ブロッカー１３に支持される（図９に示すメダル「Ｍ１１」）。そして、メダルＭは、ブロッカー１３により支持された状態で、その流下方向先端が監視センサ１６の可動部材１６１の踏み板部１６１ａにおける第三の面１６１ｉに接触する。その後、当該メダルＭのさらなる流下により、踏み板部１６１ａが変位し、この変位に伴う被検知部１６１ｃの変位が変位検知センサ１６２によって検知される。
【００２７】
なお、変位検知センサ１６２には、例えば、フォトセンサなど、可動部材１６１の被検知部１６１ｃの変位を検知可能なセンサやスイッチ等を用いることができる。
また、メダルＭが接触していない状態において、踏み板部１６１ａの一部がメダル流路１１の壁面部１１ａの壁面部表面１１ｂから斜め前方へ向かってせり出した状態を維持するように、軸支部１６１ｂには、付勢部材１６３が設けられている（図４（ii）参照）。この付勢部材１６３には、例えば、ねじりばねなどを用いることができる。
【００２８】
（ａ−２）監視センサの特徴
監視センサ１６は、（ａ−１）で説明した構造を備えるとともに、（ａ−１）で説明したように動作するが、これら以外にも、様々な特徴を備えている。
ここでは、次の事項について説明する。
（a-21）踏み板部１６１ａのうち、メダルＭの通過方向に直交する方向に沿う方向の長さ
（a-22）踏み板部１６１ａと投入検知センサ１５との位置関係
（a-23）監視センサ１６がメダルＭを検知している時間と不正検出
【００２９】
（a-21）踏み板部１６１ａのうち、メダルＭの通過方向に直交する方向に沿う方向の長さ
監視センサ１６の特徴の一つとして、可動部材１６１の踏み板部１６１ａのうちメダルＭの通過方向ＭＲに直交する方向ＲＴに沿う方向の長さＸＮが、メダル流路１１の壁面部１１ａにおける壁面部長さＨＮ（壁面部１１ａのうちメダルＭの通過方向ＭＲに直交する方向ＲＴに沿う方向の長さ）とほぼ同じ長さで形成されている点が挙げられる（図３（ｉ）参照）。
この踏み板部１６１ａの長さＸＮについて、換言すると、次のようになる。
メダルＭがメダル流路１１を通過する方向ＭＲに対して直交する方向のうち、壁面部１１ａの壁面部表面１１ｂに沿った方向を流路直交方向ＲＴとする。そして、壁面部１１ａのうち流路直交方向ＲＴに沿った方向の長さを壁面部長さＨＮとする。このとき、可動部材１６１の踏み板部１６１ａは、流路直交方向ＲＴに沿う方向の長さＸＮが壁面部長さＨＮとほぼ同じ長さに形成されている。
なお、「踏み板部１６１ａの長さＸＮが壁面部長さＨＮとほぼ同じ長さであること」には、その長さＸＮが壁面部長さＨＮと同一の長さであることと、その長さＸＮが壁面部長さＨＮよりも若干短い長さであることと、その長さＸＮが壁面部長さＨＮよりも若干長い長さであることが含まれる。図３（ｉ）に示した踏み板部１６１ａの長さＸＮは、壁面部長さＨＮよりも若干短い長さである。
【００３０】
このように踏み板部１６１ａの長さＸＮを壁面部長さＨＮとほぼ同じ長さとすることにより、この踏み板部１６１ａが設置された箇所を通過するメダルＭを確実に検知することができる。
すなわち、メダルＭがメダル流路１１を流下している途中で監視センサ用凹部１１ｃに差し掛かり、さらに、当該メダルＭの流下方向先端が踏み板部１６１ａの第三の面１６１ｉに当接すると、その後、当該メダルＭの円形表面（流下方向左側の円形表面）に対向して踏み板部１６１ａが存在する状態となるが、当該メダルＭの円形表面の上部に対向する位置にその踏み板部１６１ａが存在し、また、当該メダルＭの円形表面の下部に対向する位置にもその踏み板部１６１ａが存在し、このように当該メダルＭの円形表面におけるいずれの箇所においても対向する位置に踏み板部１６１ａが存在するようになるので、この踏み板部１６１ａを有する監視センサ１６は、当該メダルＭを確実に検知することができる。
【００３１】
また、このように踏み板部１６１ａの長さＸＮを壁面部長さＨＮとほぼ同じ長さとすることにより、この踏み板部１６１ａが設置された箇所に挿入された不正器具を確実に検知することができる。
不正器具には様々な形態のものがあるが、例えば、その不正器具の形状が正規のメダルＭに近似した形状に形成されたものがある。このような不正器具には、所定箇所にＬＥＤが取り付けられており、この不正器具をメダル投入口２から挿入し、そのＬＥＤを投入検知センサ（フォトセンサ）１５の発光部１５ａと受光部１５ｂ（図１０参照）との間に位置させ、そのＬＥＤを点滅させることで、投入検知センサ１５がそのＬＥＤの点滅に応じた検知信号を出力し、主制御部７が、その検知信号にもとづいてメダルＭを検出したものと誤判断する。そして、当該不正器具は、ＬＥＤの点灯と消灯とを何度も繰り返すことで、不正にクレジットの枚数を引き上げるという不正行為を実行する。
このような不正器具は、メダルＭの形状に近似した形状に形成されていることから、メダル投入口２に挿入されて投入検知センサ１５の付近に達しようとすると、監視センサ１６の踏み板部１６１ａに必ず接触する。これにより、監視センサ１６は、その不正器具を確実に検知することができる。
そして、後記の（a-23）においても説明するが、このような不正器具は、クレジットを不正に引き上げるために、投入検知センサ１５の付近に所定時間滞在する。よって、監視センサ１６から出力された検知信号のＯＮ時間が所定時間以上継続しているときには、主制御部７は、このメダルセレクタ１０において異常が発生したものと判定できる。
【００３２】
さらに、このように踏み板部１６１ａの長さＸＮを壁面部長さＨＮとほぼ同じ長さとすることにより、監視センサ１６は、メダルＭの形状以外の形状に形成された不正器具についても、この不正器具が当該踏み板部１６１ａの設置位置を通ったときに検知できるようになっている。
例えば、不正器具又はその部品が棒状あるいはチューブ状に形成されたものであるとする。このような不正器具がメダル投入口２に投入され、メダル流路１１を通って、投入検知センサ１５に達しようとするとき、この不正器具の棒状部分等は、投入検知センサ１５の付近において、メダル流路１１の上部にのみ位置し、下部には位置しないようになる。
これに対し、監視センサ１６の踏み板部１６１ａは、当該踏み板部１６１ａの長さＸＮが壁面部長さＨＮとほぼ同じ長さとなっている。このため、たとえ不正器具がメダル流路１１の上部にのみに位置しているとしても、この上部に当該踏み板部１６１ａが位置しているので、不正器具は、その踏み板部１６１ａに必ず当接し、監視センサ１６は、その不正器具を確実に検知できる。
また、不正器具の棒状部分等がメダル流路１１の下部にのみ位置するようなものである場合でも、この下部に当該踏み板部１６１ａが位置しているので、不正器具は、その踏み板部１６１ａに必ず当接し、監視センサ１６は、その不正器具を確実に検知できる。
このように、監視センサ１６は、踏み板部１６１ａの長さＸＮが壁面部長さＨＮとほぼ同じ長さとなっているので、不正器具の形状がどのような形状であっても、投入検知センサ１５の付近に位置する不正器具を確実に検知できる。
【００３３】
（a-22）踏み板部１６１ａと投入検知センサ１５との位置関係
監視センサ１６の他の特徴として、投入検知センサ１５との位置関係が挙げられる。
投入検知センサ１５は、本発明の第二センサとして機能するものであり、メダル流路１１を通過するメダルＭを検知する。
監視センサ１６は、投入検知センサ１５がメダルＭを検知している間、当該メダルＭを検知するような位置に配置されている。換言すれば、監視センサ１６がメダルＭを検知している期間のうちの少なくとも一部の期間において投入検知センサ１５が当該メダルＭを検知するような位置関係となっている。
【００３４】
このような位置関係を実現するために、踏み板部１６１ａは、第二の面１６１ｈと第三の面１６１ｉとの境界である境界１６１ｋが投入検知センサ１５よりも上流側に位置しており、下流側辺１６１ｆが投入検知センサ１５よりも下流側に位置している（図９参照）。
このような位置関係で配置することにより、監視センサ１６と投入検知センサ１５は、次の順にメダルＭを検知する。
メダル流路１１を流下しているメダルＭが監視センサ用凹部１１ｃに差し掛かり、さらに、当該メダルＭの流下方向先端が踏み板部１６１ａの第三の面１６１ｉに当接して押圧すると、監視センサ１６は、そのメダルＭを検知する（図９に示すメダル「Ｍ１１」）。次いで、そのメダルＭが投入検知センサ１５における発光部１５ａと受光部１５ｂとの間に進入すると、この投入検知センサ１５が当該メダルＭを検知する（図９に示すメダル「Ｍ１２」）。さらに、メダルＭが流下して、発光部１５ａと受光部１５ｂとの間を通過すると、投入検知センサ１５は、当該メダルＭの検知を終了する（図９に示すメダル「Ｍ１４」）。そして、メダルＭの流下方向後端が踏み板部１６１ａの流路側表面１６１ｄの下流側辺１６１ｆを通過すると、監視センサ１６は、そのメダルＭの検知を終了する（図９に示すメダル「Ｍ１６」）。
【００３５】
踏み板部１６１ａと投入検知センサ１５との位置関係をこのような関係とすることにより、次のような効果を奏する。
（a-21）で説明した不正器具は、投入検知センサ１５の発光部１５ａと受光部１５ｂとの間に当該不正器具のＬＥＤを位置させる。そして、当該不正器具は、その投入検知センサ１５の付近に所定の時間滞在し、その投入検知センサ１５を誤動作させる。
この場合、不正器具は、投入検知センサ１５の発光部１５ａと受光部１５ｂとの間に自身のＬＥＤが位置していればよいので、図９に示したメダルＭのうち、Ｍ１２に示した位置にあってもよく、あるいは、Ｍ１４に示した位置にあってもよい。
このように、当該不正器具は、投入検知センサ１５の設置位置に対して上流側又は下流側のいずれかの近傍に滞在することが考えられる。
【００３６】
これに対し、監視センサ１６の踏み板部１６１ａは、境界１６１ｋと下流側辺１６１ｆがそれぞれ既述した箇所に設けられる。
例えば、境界１６１ｋは、投入検知センサ１５の設置位置に対して上流側に設けられる。このため、監視センサ１６は、投入検知センサ１５の設置位置に対して上流側に位置する不正器具を検知することができる。
また、下流側辺１６１ｆは、投入検知センサ１５の設置位置に対して下流側に設けられる。このため、監視センサ１６は、投入検知センサ１５の設置位置に対して下流側に位置する不正器具を検知することができる。
このように、監視センサ１６は、投入検知センサ１５の設置位置に対して上流側に位置する不正器具と、下流側に位置する不正器具の両方を検知することができる。このため、監視センサ１６は、当該不正器具を確実に検知できる。
【００３７】
（a-23）監視センサ１６がメダルＭを検知している時間と不正検出
監視センサ１６は、メダルＭ又は不正器具を検知すると、検知信号Ｐ１をＯＦＦからＯＮに遷移させ、このＯＮを示す検知信号Ｐ１を主制御部７へ送る。
主制御部７は、その検知信号Ｐ１を入力すると、この検知信号Ｐ１がＯＮを示している時間をＯＮ時間として計測する。
そして、主制御部７は、検知信号Ｐ１のＯＮ時間と閾値とを比較し、ＯＮ時間が閾値よりも短いときは、監視センサ１６が正規のメダルＭを検知したものと判定する。一方、検知信号Ｐ１のＯＮ時間が閾値を超過したときは、主制御部７は、メダルセレクタ１０にて異常が発生したものと判定する（図１１参照）。
【００３８】
このような判定を可能とする理由は、次の通りである。
既述したように、監視センサ１６は、投入検知センサ１５が検知しているメダルＭを検知することができる。また、監視センサ１６は、投入検知センサ１５がメダルＭであると誤認識している不正器具についても、検知できる。
ここで、監視センサ１６が正規のメダルＭを検知する時間は、短い時間である。これは、メダル投入口２に投入されたメダルＭが、起立状態で転動しながらメダルセレクタ１０のメダル流路１１を通過していくためである。
これに対し、不正器具は、クレジットの枚数を引き上げる必要があるため、投入検知センサ１５の付近に所定の時間滞在する。
そこで、監視センサ１６が正規のメダルＭを検知する時間よりも若干長い時間を閾値として設定しておき、監視センサ１６から送られてきた検知信号Ｐ１のＯＮ時間と閾値とを比較する。そして、ＯＮ時間が閾値よりも短いときには、主制御部７は、監視センサ１６が検知したものが正規のメダルＭであると判定できる（図１１（ｉ）参照）。一方、ＯＮ時間が閾値よりも長いときには、主制御部７は、監視センサ１６が検知したものが正規のメダルＭ以外のものであり、メダルセレクタ１０にて異常が発生したと判定できる（図１１（ii）参照）。
【００３９】
そして、主制御部７は、メダルセレクタ１０にて異常が発生したと判定したときには、所定の処理を実行する。
例えば、主制御部７は、異常が発生したことを示す信号をスロットマシン１の外部へ出力する。この信号を受信した装置（例えば、遊技に関する情報を集計管理する遊技場管理装置など）は、その信号にもとづいて、異常が発生したことを示す所定の報知を実行する。この報知を認識した遊技場の店員は、その異常に対して適切な措置を講ずることができる。
また、主制御部７は、異常が発生したことを示す信号を副制御部８へ送る。これにより、副制御部８は、当該スロットマシン１において警報音を出力したり、液晶表面器にエラー表面をさせたりするなどして、異常が発生したことを報知する。この報知を認識した遊技場の店員は、その異常に対して適切な措置を講ずることができる。
さらに、主制御部７は、異常が発生したと判定したときには、遊技の進行を停止することができる。これにより、不正器具によるその後の不正なクレジットの引き上げを阻止することができ、遊技場の蒙る損害を抑えることができる。
【００４０】
（ｂ）出口センサ
（ｂ−１）構造及び動作
出口センサ１７は、本発明の第三センサとして機能するものであり、メダル流路１１を通過するメダルＭを検知する。
この出口センサ１７は、メダル流路１１において、ブロッカー１３よりも下流側に設けられており、メダルセレクタ１０を流下していたメダルＭがこのメダルセレクタ１０の外部に接続されたメダル誘導通路２０に進出しようとするときに通り抜ける開口として形成されたメダル出口１８（図３、図１０等参照）の近傍に設けられている。
【００４１】
出口センサ１７は、メダル流路１１を通過するメダルＭが接触することで変位する可動部材１７１と、この可動部材１７１の変位を検知する変位検知センサ１７２とを有している（図３（ｉ）、（ii）参照）。
可動部材１７１は、メダル流路１１を通過するメダルＭが接触しこのメダルＭからの押圧を受けることで変位する被接触部１７１ａと、メダルセレクタ１０の基部１９に軸支される軸支部１７１ｂと、被接触部１７１ａの変位に伴って変位する被検知部１７１ｃとを有している。
被接触部１７１ａは、軸支部１７１ｂから突設形成された棒状の部分であって、棒状の途中が所定の角度で屈曲した形状に形成されている。
変位検知センサ１７２は、可動部材１７１の被検知部１７１ｃの変位を検知すると、メダルＭを検知したことを示す検知信号を主制御部７へ送る。
【００４２】
ここで、可動部材１７１は、メダル流路１１における次の箇所に設けられる。
可動部材１７１のうち軸支部１７１ｂと被検知部１７１ｃは、メダル流路１１の壁面部１１ａの裏側に位置している（図１２参照）。
これに対し、被接触部１７１ａは、次の箇所に設けられる。
壁面部１１ａの壁面部表面１１ｂと、この壁面部表面１１ｂを面方向に仮想的に延伸したときの当該面とを含む面を壁面部仮想面ＨＫとし、壁面部１１ａにおいて被接触部１７１ａが設けられる部分に凹設された窪みを出口センサ用凹部１１ｄとすると、棒状の被接触部１７１ａのうち軸支部１７１ｂに近い側の部分（被接触部１７１ａの末端部分）は、出口センサ用凹部１１ｄの内部であって壁面部仮想面ＨＫよりも内側に設けられ、被接触部１７１ａのうち屈曲部から先の部分（被接触部１７１ａの先端部分）は、出口センサ用凹部１１ｄの外部に設けられる。
また、壁面部１１ａの壁面部表面１１ｂを前方から見たときの被接触部１７１ａの末端部分と先端部分のそれぞれの向きは、末端部分がメダル流路１１の上流側を向き、先端部分がメダル流路１１の下流側を向かうような向きとなっている。
【００４３】
このような位置及び向きで被接触部１７１ａを設けることにより、メダル流路１１を通るメダルＭがその被接触部１７１ａに接触し、このメダルＭが流下しながらその被接触部１７１ａを押圧することで、当該被接触部１７１ａが変位する。
すなわち、被接触部１７１ａは、末端部分が出口センサ用凹部１１ｄの内部に位置しており、先端部分が出口センサ用凹部１１ｄの外部において斜め方向に突出した状態で位置しているのに対し、メダルＭは、メダル流路１１を通過するときに、壁面部仮想面ＨＫに沿って通過する。このため、メダルＭは、当該メダルＭの流下方向の先端下部が出口センサ用凹部１１ｄに差し掛かると、当該先端下部が被接触部１７１ａに当接する（図１３参照）。
【００４４】
そして、被接触部１７１ａは、先端部分がメダル流路１１の下流側へ向かう方向に傾斜しており、また、この被接触部１７１ａの末端部分に連設して軸支部１７１ｂが形成されているので、被接触部１７１ａに当接したメダルＭが、さらに流下しようとしてその被接触部１７１ａを押圧すると、被接触部１７１ａは、軸支部１７１ｂの中心軸を中心として回動し、被接触部１７１ａの全体が出口センサ用凹部１１ｄに収納される（図１４参照）。
【００４５】
この軸支部１７１ｂの中心軸を中心として被接触部１７１ａが回動して変位することにより、被検知部１７１ｃも変位する。この被検知部１７１ｃの変位を検知した変位検知センサ１７２は、メダルＭを検知したことを示す検知信号を出力する。
一方、被接触部１７１ａの全体が出口センサ用凹部１１ｄに収納された後は、メダルＭの流下方向前方に被接触部１７１ａが存在しなくなるので、メダルＭは、さらにメダル流路１１を流下し続け、メダル出口１８を通り抜けて、外部に接続されたメダル誘導通路２０に進入する。
また、可動部材１７１は、被接触部１７１ａにメダルＭが接触しなくなり、このメダルＭからの押圧を受けなくなると、付勢部材１７３による付勢により軸支部１７１ｂの中心軸を中心として回動し、被接触部１７１ａの先端部分が出口センサ用凹部１１ｄから外部に突出した状態に復帰する（図１２参照）。
【００４６】
なお、変位検知センサ１７２には、例えば、フォトセンサなど、可動部材１７１の被検知部１７１ｃの変位を検知可能なセンサやスイッチ等を用いることができる。
また、メダルＭが接触していない状態において、被接触部１７１ａの一部がメダル流路１１の壁面部１１ａの壁面部表面１１ｂから斜め前方へ向かって突出した状態を維持するように、軸支部１７１ｂには、付勢部材１７３が設けられている（図１２参照）。この付勢部材１７３には、例えば、ねじりばねなどを用いることができる。
【００４７】
（ｂ−２）出口センサの機能
出口センサ１７は、（ｂ−１）で説明した構造を備えるとともに、（ｂ−１）で説明したように動作するが、これら以外にも、次の機能を有している。
（b-21）メダルＭの逆流を防止する機能
（b-22）不正器具の使用を防止する機能
【００４８】
（b-21）メダルＭの逆流を防止する機能
この機能は、投入検知センサ１５により検知された後、メダル出口１８から外部へ出たメダルＭ（又は、メダル出口１８から外部へ出ようとしたメダルＭ）が、何等かの理由で逆行してメダル出口１８に進入し、投入検知センサ１５により再度検知されてカウントされることを防止するための機能である。
【００４９】
出口センサ１７の可動部材１７１の被接触部１７１ａは、既述したように、棒状の先端部分が出口センサ用凹部１１ｄの内部から外部に向かって突出し、かつ、メダル出口１８に向かう方向に突出するような状態で設けられている。
このため、メダル出口１８から外部へ出たメダルＭが逆流してメダル出口１８に進入してきたときは、図１５に示すように、当該メダルＭの下部側面が被接触部１７１ａの先端部に接触し、それ以上の進入が阻止される。
これにより、メダルＭのそれ以上の逆流が防止される。そして、メダルＭの逆流に伴う当該メダルＭのダブルカウントが防止される。
【００５０】
（b-22）不正器具の使用を防止する機能
この機能を説明するために、まず、不正器具の構成について説明する。ここで説明する不正器具は、いわゆる風車と呼ばれる不正器具である。
この不正器具は、図１６に示すように、円板状の部材を有している。
円板状の部材には、周縁の一部に切欠きが形成されている。
切欠きは、周縁から円板の中心に向かう方向に切り欠かれた部分である。
この円板状の部材は、メダル流路１１を流下可能な大きさに形成されたケース（図示せず）に収納されており、メダル投入口２に投入されると、メダル流路１１を通り、投入検知センサ１５が設けられた位置で停止するようになっている。
このケースが停止した後、さらに正規のメダルＭがメダル投入口２に投入されると、この正規のメダルＭの先端部がケースの後部端面に衝突する。そして、この衝突にともなって、ケースの内部で円板状の部材が回転を開始するようになっている。
【００５１】
円板状の部材は、投入検知センサ１５の発光部１５ａと受光部１５ｂとの間に位置している。このため、通常は、発光部１５ａから放出された光を遮り、受光部１５ｂにおける受光を阻止する。
ところが、円板状の部材が回転し、切欠きが発光部１５ａと受光部１５ｂとの間に達すると、発光部１５ａから放出された光が遮断されずに受光部１５ｂに到達し、受光部１５ｂがその光を受光する。そして、円板状の部材がさらに回転すると、発光部１５ａから放出された光を円板状の部材が遮断し、受光部１５ｂにおける受光を阻止する。
こうして円板状の部材が回転することで、発光部１５ａから放出された光の遮断と通過が繰り返され、受光部１５ｂにおけるその光の受光と非受光とが繰り返されるので、この投入検知センサ１５から出力される検知信号がＯＮとＯＦＦとを繰り返す信号となる。そして、この検知信号を受信した主制御部７では、検知信号がＯＮとＯＦＦとを繰り返すことにもとづいて、複数枚のメダルＭが投入検知センサ１５で検知されたものと誤判定する。
これにより、クレジットが不正に引き上げられて、不正に遊技が行われることとなる。
【００５２】
このような不正器具に対し、出口センサ１７は、有効にその使用を阻止する。
不正器具は、投入検知センサ１５を誤動作させるために、必ず、この投入検知センサ１５の発光部１５ａと受光部１５ｂとの間に進入した状態で停止する。そして、円板状の部材が回転すると、これに形成された切欠きも、円板状の部材の周縁に沿って回転する。
これに対し、出口センサ１７の可動部材１７１の被接触部１７１ａは、投入検知センサ１５と同様、メダル流路１１の下流側においてメダル出口１８の近傍に設けられている。また、出口センサ１７の被接触部１７１ａは、メダル流路１１を介して、投入検知センサ１５に対向する位置の近傍に設けられている。このため、不正器具が投入検知センサ１５の検知可能位置に停止することで、この不正器具が被接触部１７１ａに接触し、出口センサ１７は、その不正器具を検知する。
また、被接触部１７１ａは、棒状の末端部分がメダル流路１１の上流側を向き、先端部分がメダル流路１１の下流側を向くような方向で設けられている。このため、不正器具の円板状の部材が回転し、切欠きも周縁に沿って回転して、この切欠きが被接触部１７１ａの配置位置に達すると、それまで円板状の部材の円形面（図１６に示す円板状の部材の裏面）に接触していた被接触部１７１ａが、その切欠きの部分でその接触が解除されて起き上がり、切欠きの縁部に当接する（図１６参照）。
この当接により、円板状の部材の回転が規制され、それ以上の回転が阻止される。これにより、投入検知センサ１５の受光部１５ｂは、その後、光を受光しない状態が継続するので、ＯＮとＯＦＦとを繰り返していた検知信号が、ＯＮのみを継続して示すようになり、主制御部７では、クレジットをカウントしなくなる。よって、クレジットの不正な引き上げを有効に防止できる。
【００５３】
（ｃ）主制御部におけるメダルの検出
主制御部７は、監視センサ１６から出力された検知信号Ｐ１と、投入検知センサ１５から出力された検知信号Ｐ２と、出口センサ１７から出力された検知信号Ｐ３とをそれぞれ受信し、これら検知信号Ｐ１〜Ｐ３にもとづいて、メダルセレクタ１０のメダル流路１１にてメダルＭが通過したことを検出する。
【００５４】
この主制御部７におけるメダルＭの検出に関する事項として、次の事項について説明する。
（ｃ−１）投入検知センサ１５と監視センサ１６と出口センサ１７から出力された検知信号にもとづくメダルＭの検出
（ｃ−２）投入検知センサ１５と出口センサ１７から出力された検知信号にもとづくメダルＭの検出
【００５５】
（ｃ−１）投入検知センサ１５と監視センサ１６と出口センサ１７から出力された検知信号にもとづくメダルＭの検出
【００５６】
主制御部７は、メダルＭを検出するために、次の処理を実行する。
（c-11）検知信号の受信と、各センサ１５〜１７のＯＮ状態又はＯＦＦ状態の特定
（c-12）各センサにおけるＯＮ状態とＯＦＦ状態との遷移についての時系列順の特定
（c-13）メダルＭの検出の判定
【００５７】
（c-11）検知信号の受信と、各センサ１５〜１７のＯＮ状態又はＯＦＦ状態の特定
主制御部７は、監視センサ１６から出力された検知信号Ｐ１と、投入検知センサ１５から出力された検知信号Ｐ２と、出口センサ１７から出力された検知信号Ｐ３とをそれぞれ受信する（図１７参照）。
【００５８】
次いで、主制御部７は、検知信号Ｐ１にもとづいて、監視センサ１６がＯＮ又はＯＦＦのいずれの状態となっているかを特定する。また、主制御部７は、検知信号Ｐ２にもとづいて、投入検知センサ１５がＯＮ又はＯＦＦのいずれの状態となっているかを特定する。さらに、主制御部７は、検知信号Ｐ３にもとづいて、出口センサ１７がＯＮ又はＯＦＦのいずれの状態となっているかを特定する。
【００５９】
これら各センサ１５〜１７におけるＯＮ又はＯＦＦの状態の特定について、ここでは、監視センサ１６を例に挙げて説明する。
メダルセレクタ１０のメダル流路１１にメダルＭが存在していない状態においては、監視センサ１６の可動部材１６１の踏み板部１６１ａに対してメダルＭが接触しておらず、可動部材１６１が変位していない状態（図６に示す状態）となっている。この場合、監視センサ１６の変位検知センサ１６２は、可動部材１６１の被検知部１６１ｃを検知していないので、ＯＦＦを示す検知信号Ｐ１を出力する。
これに対し、メダル投入口２にメダルＭが投入され、このメダルＭがメダルセレクタ１０のメダル流路１１を通り、このメダルＭが監視センサ１６の可動部材１６１の踏み板部１６１ａに接触すると、可動部材１６１が軸支部１６１ｂの中心軸を中心として回動する（図８参照）。これに伴い、可動部材１６１の踏み板部１６１ａが変位するとともに被検知部１６１ｃが変位する。この場合、変位検知センサ１６２は、変位した被検知部１６１ｃを検知し、ＯＮを示す検知信号Ｐ１を出力する。
変位検知センサ１６２は、変位した被検知部１６１ｃを検知している間は、ＯＮを示す検知信号Ｐ１を出力し続ける。
【００６０】
その後、メダルＭがメダル流路１１において監視センサ１６の踏み板部１６１ａの設置位置を通り過ぎ、このメダルＭが踏み板部１６１ａに接触していない状態になると、付勢部材１６３による付勢により、可動部材１６１が軸支部１６１ｂの中心軸を中心として回動し、可動部材１６１が変位する前の状態に復帰する（図６参照）。これにより、変位検知センサ１６２は、それまで検知していた可動部材１６１の被検知部１６１ｃを検知しなくなるので、この非検知にともなってＯＦＦを示す検知信号Ｐ１を出力する。
【００６１】
主制御部７は、検知信号Ｐ１を入力し、この検知信号Ｐ１がＯＮを示すものであるときは、監視センサ１６がメダルＭを検知している状態すなわちＯＮの状態であると特定する。一方、検知信号Ｐ１がＯＦＦを示すものであるときは、監視センサ１６がメダルＭを検知していない状態すなわちＯＦＦの状態であると特定する。
【００６２】
ここでは、監視センサ１６におけるＯＮ又はＯＦＦの状態の特定について説明したが、投入検知センサ１５におけるＯＮ又はＯＦＦの状態の特定と、出口センサ１７におけるＯＮ又はＯＦＦの状態の特定についても、同様の処理内容で実行することができる。
【００６３】
（c-12）各センサにおけるＯＮ状態とＯＦＦ状態との遷移についての時系列順の特定
主制御部７は、各検知信号Ｐ１〜Ｐ３にもとづいて、投入検知センサ１５、監視センサ１６、出口センサ１７のそれぞれについてＯＮ又はＯＦＦの状態を特定しながら、これらＯＮからＯＦＦ又はＯＦＦからＯＮへの遷移の時系列順を特定する。
例えば、主制御部７が入力した各検知信号Ｐ１〜Ｐ３が、図１７（ｉ）〜（iii）に示すような波形であったとする。この場合、各センサ１５〜１７におけるＯＮ状態とＯＦＦ状態との遷移の時系列順は、次のようになる。
監視センサ１６がＯＦＦからＯＮへ遷移→投入検知センサ１５がＯＦＦからＯＮへ遷移→出口センサ１７がＯＦＦからＯＮへ遷移→投入検知センサ１５がＯＮからＯＦＦへ遷移→出口センサ１７がＯＮからＯＦＦへ遷移→監視センサ１６がＯＮからＯＦＦへ遷移
【００６４】
（c-13）メダルＭの検出の判定
主制御部７は、各センサ１５〜１７のＯＮ状態とＯＦＦ状態との遷移の時系列順を特定すると、この時系列順が、予め記憶しておいたメダル検出パターンＡ（各センサ１５〜１７のＯＮ状態とＯＦＦ状態との遷移の時系列順を示すものであって、予め所定の記憶部に記憶させておいたもの）と比較する。
そして、特定した時系列順がメダル検出パターンＡと一致しているときは、メダルＭを検出したと判定する。
一方、特定した時系列順が、メダル検出パターンＡと相違しているときは、主制御部７は、メダルＭを検出したと判定しない。
【００６５】
例えば、主制御部７が入力した各検知信号Ｐ１〜Ｐ３が、図１７（ｉ）〜（iii）に示すような波形であり、各センサ１５〜１７におけるＯＮ状態とＯＦＦ状態との遷移の時系列順が既述した順序であったとする。
これに対し、メダル検出パターンＡが、図１７（iv）に示すように、監視センサ１６がＯＮ→投入検知センサ１５がＯＮ→出口センサ１７がＯＮ→投入検知センサ１５がＯＦＦ→出口センサ１７がＯＦＦ→監視センサ１６がＯＦＦの順序であったとする。
この場合、その特定した時系列順は、メダル検出パターンＡと一致しているので、主制御部７は、メダルＭを検出したと判定する。
【００６６】
このような判定の特徴として、次の点が挙げられる。
（c-i）
監視センサ１６がメダルＭを検知している期間のうちの少なくとも一部の期間において、投入検知センサ１５が当該メダルＭを検知する。
また、投入検知センサ１５がメダルＭを検知している間は、監視センサ１６が当該メダルＭを検知している。
つまり、監視センサ１６と投入検知センサ１５は、同一のメダルＭを同時に検知している期間が存在する。
【００６７】
（c-ii）
監視センサ１６は、投入検知センサ１５がメダルＭを検知する前に当該メダルＭを検知し始め、その投入検知センサ１５が当該メダルＭの検知を終えた後も、当該メダルＭを引き続いて、所定期間検知する。
【００６８】
（c-iii）
監視センサ１６がメダルＭを検知している期間のうちの少なくとも一部の期間において、出口センサ１７が当該メダルＭを検知する。
また、出口センサ１７がメダルＭを検知している間は、監視センサ１６が当該メダルＭを検知している。
つまり、監視センサ１６と出口センサ１７は、同一のメダルＭを同時に検知している期間が存在する。
【００６９】
（c-iv）
監視センサ１６は、出口センサ１７がメダルＭを検知する前に当該メダルＭを検知し始め、その出口センサ１７が当該メダルＭの検知を終えた後も、当該メダルＭを引き続いて、所定期間検知する。
【００７０】
（c-v）
（c-i）〜（c-iv）の総括として、監視センサ１６は、投入検知センサ１５がメダルＭを検知している期間と出口センサ１７がメダルＭを検知している期間の前後に亘って、当該メダルＭを検知する。
また、メダル検出パターンＡは、三つのセンサ１５〜１７がＯＮした順番に順次ＯＦＦしていくという単純なものではなく、最初にＯＮに遷移した監視センサ１６が最後にＯＦＦに遷移するという複雑な順序となっている。
このことから、不正行為者による介入が困難となっており、不正行為を未然に防ぐことができる。
【００７１】
さらに、主制御部７は、少なくとも、監視センサ１６と投入検知センサ１５の両方から検知信号を受信したことにもとづいて、当該メダルＭを検出したものと判定するようになっている。
この点においても、監視センサ１６と投入検知センサ１５がＯＮに遷移した順番に順次ＯＦＦしていくという単純なものではなく、最初にＯＮに遷移した監視センサ１６が最後にＯＦＦに遷移するという複雑な順序となっている。
このことから、不正行為者による介入が困難となっており、不正行為を未然に防ぐことができる。
【００７２】
そして、監視センサ１６と投入検知センサ１５と出口センサ１７は、正規のメダルＭが投入された場合において、時系列順に、監視センサ１６がＯＮとなり、投入検知センサ１５がＯＮとなり、出口センサ１７がＯＮとなり、投入検知センサ１５がＯＦＦとなり、出口センサ１７がＯＦＦとなり、監視センサ１６がＯＦＦとなるように、メダルセレクタ１０に配置されている。
具体的には、図９に示すように、メダル投入口２に投入されたメダルＭがメダル流路１１を流下して図９に示すメダル「Ｍ１１」の位置に達し、このメダルＭの先端部が監視センサ１６の踏み板部１６１ａに接触してこの踏み板部１６１ａを押圧すると、監視センサ１６がＯＮの状態となる。次いで、メダルＭが流下して図９に示すメダル「Ｍ１２」の位置に達すると、投入検知センサ１５がそのメダルＭを検知してＯＮの状態となる。続いて、メダルＭが流下して図９に示すメダル「Ｍ１３」の位置に達すると、このメダルＭの先端部が出口センサ１７の被接触部１７１ａに接触してこの被接触部１７１ａを押圧し、出口センサ１７がそのメダルＭを検知してＯＮの状態となる。そして、メダルＭが流下して図９に示すメダル「Ｍ１４」の位置に達すると、投入検知センサ１５がそのメダルＭを検知しなくなるので、ＯＦＦの状態となる。さらに、メダルＭが流下して図９に示すメダル「Ｍ１５」の位置に達すると、このメダルＭが出口センサ１７の被接触部１７１ａを押圧しなくなり、出口センサ１７がそのメダルＭを検知しなくなるので、ＯＦＦの状態となる。その後、メダルＭが流下して図９に示すメダル「Ｍ１６」の位置に達すると、このメダルＭが監視センサ１６の踏み板部１６１ａを押圧しなくなり、監視センサ１６がそのメダルＭを検知しなくなるので、ＯＦＦの状態となる。
正規のメダルＭが投入された場合に、このような時系列順でＯＮ状態とＯＦＦ状態とを遷移するように、監視センサ１６と投入検知センサ１５と出口センサ１７は、メダルセレクタ１０に配置されている。
そして、監視センサ１６の踏み板部１６１ａは、上記の時系列順で各センサ１５〜１７がＯＮ状態とＯＦＦ状態とを遷移するような形状に形成されており、このような遷移が可能となるような位置に配置されている。
【００７３】
（ｃ−２）投入検知センサ１５と出口センサ１７から出力された検知信号にもとづくメダルＭの検出
【００７４】
（ｃ−１）では、三つのセンサ１５〜１７のＯＮ状態とＯＦＦ状態の遷移にもとづいてメダルＭの検出を判定する方法について説明した。
ここでは、投入検知センサ１５と出口センサ１７の二つのセンサのＯＮ状態とＯＦＦ状態の遷移にもとづいてメダルＭの検出を判定する方法について説明する。
【００７５】
主制御部７は、メダルＭを検出するために、（ｃ−１）にて既述した（c-11）〜（c-14）の各処理を実行する。
ここで、この（ｃ−２）において実行される（c-11）〜（c-14）の各処理の内容は、基本的には、（ｃ−１）において実行される（c-11）〜（c-14）の各処理の内容と同様であるが、相違点もある。
ここでは、（c-11）〜（c-14）の各処理の内容のうち、（ｃ−１）において実行される内容と相違する点について説明する。
【００７６】
（c-11）主制御部７は、少なくとも、投入検知センサ１５から出力された検知信号Ｐ２と、出口センサ１７から出力された検知信号Ｐ３とをそれぞれ受信する。
主制御部７は、検知信号Ｐ２にもとづいて、投入検知センサ１５がＯＮ又はＯＦＦのいずれの状態となっているかを特定する。また、主制御部７は、検知信号Ｐ３にもとづいて、出口センサ１７がＯＮ又はＯＦＦのいずれの状態となっているかを特定する。
【００７７】
（c-12）主制御部７は、各検知信号Ｐ２、Ｐ３にもとづいて、投入検知センサ１５と出口センサ１７のそれぞれについてＯＮ又はＯＦＦの状態の特定しながら、これらＯＮからＯＦＦ又はＯＦＦからＯＮへの遷移の時系列順を特定する。
例えば、主制御部７が入力した各検知信号Ｐ２、Ｐ３が、図１７（ii）、（iii）に示すような波形であったとする。この場合、各センサ１５、１７におけるＯＮ状態とＯＦＦ状態との遷移の時系列順は、次のようになる。
投入検知センサ１５がＯＦＦからＯＮへ遷移→出口センサ１７がＯＦＦからＯＮへ遷移→投入検知センサ１５がＯＮからＯＦＦへ遷移→出口センサ１７がＯＮからＯＦＦへ遷移
【００７８】
（c-13）主制御部７は、各センサ１５、１７のＯＮ状態とＯＦＦ状態との遷移の時系列順を特定すると、この時系列順が、予め記憶しておいたメダル検出パターンＢ（各センサ１５、１７のＯＮ／ＯＦＦの遷移の時系列順を示すものであって、予め所定の記憶部に記憶させておいたもの）と比較する。
そして、特定した時系列順がメダル検出パターンＢと一致しているときは、メダルＭを検出したと判定する。
一方、特定した時系列順が、メダル検出パターンＢと相違しているときは、主制御部７は、メダルＭを検出したと判定しない。
【００７９】
例えば、主制御部７が入力した各検知信号Ｐ２、Ｐ３が、図１７（ii）、（iii）に示すような波形であり、各センサ１５、１７におけるＯＮ状態とＯＦＦ状態との遷移の時系列順が既述した順序であったとする。
これに対し、メダル検出パターンＢが、図１７（ｖ）に示すように、投入検知センサ１５がＯＮ→出口センサ１７がＯＮ→投入検知センサ１５がＯＦＦ→出口センサ１７がＯＦＦの順序であったとする。
この場合、その特定した時系列順は、メダル検出パターンＢと一致しているので、主制御部７は、メダルＭを検出したと判定する。
一方、特定した時系列順が、メダル検出パターンＢと相違しているときは、主制御部７は、メダルＭを検出したと判定しない。
【００８０】
このような内容で判定を行った場合にも、主制御部７は、メダルセレクタ１０のメダル流路１１を通過したメダルＭを検出できる。
【００８１】
（ｄ）ブロッカー
（ｄ−１）構造及び動作
ブロッカー１３は、メダルＭがメダル流路１１を通過することができるように当該メダルＭを支持するとともに、クレジットの最大数を超過したメダルＭについてはメダル流路１１から排出するように当該メダルＭの支持を解除するガイド部材であって、メダルＭを支持するための支持位置と、メダルＭをメダル流路１１から排出するための排出位置とに移動可能となっている。
このブロッカー１３は、メダル流路１１の一方の側部において、当該メダル流路１１の上流側から下流側に向かう方向に沿って、所定の長さにわたって配置されるメダル支持部１３１を有している。
【００８２】
ブロッカー１３は、ソレノイド１２の動作にともなって動作する。
ソレノイド１２は、励磁によりブロッカー１３を排出位置から支持位置へ移動させて保持するとともに、励磁を解除することによりブロッカー１３を支持位置から排出位置へ移動させるガイド部材制御部である。
例えば、ソレノイド１２が励磁している状態では、図５に示すように、ブロッカー１３がソレノイド１２に引き寄せられる。これにより、ブロッカー１３のメダル支持部１３１は、メダル流路１１の側部から壁面部１１ａの前方へ突出する。
このように、メダル支持部１３１がメダル流路１１の側部から突出した状態は、メダルＭがメダル流路１１を通過することができるように当該メダルＭを支持する状態となっており、この状態が、ブロッカー１３の支持位置となる。
【００８３】
これに対し、ソレノイド１２が励磁していない状態では、図１８に示すように、引き寄せられていたブロッカー１３がソレノイド１２から離間する。この場合、ブロッカー１３は、付勢部材（図示せず）により付勢され、このブロッカー１３のメダル支持部１３１が、メダル流路１１の側部から壁面部１１ａの裏側へ引き下げられる。
このように、メダル支持部１３１がメダル流路１１の側部から引き下げられた状態は、メダル流路１１を通過しようとするメダルＭを支持できない状態であるので、メダルＭは、メダル流路１１から下方へ排出される。つまり、このようにメダル支持部１３１がメダル流路１１の側部から壁面部１１ａの裏側へ引き下げられた状態が、ブロッカー１３の排出位置となる。
【００８４】
ソレノイド１２は、主制御部７による制御により動作する。
主制御部７は、例えば、クレジットの最大数（例えば、５０枚）を超過する枚数のメダルＭがメダル投入口２に投入された場合に、この超過分のメダルＭをメダルセレクタ１０から排出させるため、ソレノイド１２を励磁状態から非励磁状態に移行させる。
【００８５】
この主制御部７によるソレノイド１２の制御と主制御部７の動作について、さらに説明する。
クレジットが最大数に達しておらず、かつ、メダル投入口２へのメダルＭの投入が可能な状態においては、主制御部７は、ソレノイド１２を励磁状態にし、ブロッカー１３のメダル支持部１３１を支持位置に移動させる。
また、主制御部７は、本発明のカウント部として動作し、少なくとも投入検知センサ１５からの検知信号Ｐ２にもとづいてクレジットの枚数をカウントする。そして、カウントしたクレジットの枚数が最大数に達すると、主制御部７は、ソレノイド１２を非励磁状態にし、ブロッカー１３のメダル支持部１３１を支持位置から排出位置に移動させる。
これにより、その後、メダル投入口２にメダルＭが投入されても、このメダルＭがメダルセレクタ１０のメダル流路１１から排出されてメダル払出口６ａへ送られる。
【００８６】
このようにクレジットが最大数に達した後に投入されたメダルＭは、メダルセレクタ１０のメダル流路１１から排出されるが、このような動作を実行可能とするため、ブロッカー１３のメダル支持部１３１は、次のような形状となっている。
クレジットが最大数に達していない場合においてメダル投入口２へのメダルＭの投入が可能な状態であるとき、ブロッカー１３は、支持位置にある。この場合において、メダル投入口２にメダルＭが投入されると、このメダルＭは、投入検知センサ１５で検知される。このように投入検知センサ１５に検知されたときのメダルＭの位置を、図１９において、「Ｍ２１」として示す。
投入検知センサ１５は、そのメダルＭを検知すると、ＯＮを示す検知信号Ｐ２を主制御部７へ送る。主制御部７は、この検知信号を入力すると、カウントを「１」増加させる。
【００８７】
そして、図１９において「Ｍ２１」として示されたメダルＭが、主制御部７でカウントされてクレジットの最大数となるメダルＭであったとすると、主制御部７は、ソレノイド１２を励磁状態から非励磁状態に移行させる。
これにより、ブロッカー１３のメダル支持部１３１が、支持位置から排出位置へ移動する。このため、これ以降にメダル投入口２に投入されたメダルＭは、メダル流路１１から排出される。
【００８８】
ただし、メダル投入口２にメダルＭが複数枚連続して投入され、「Ｍ２１」として示されたメダルＭのすぐ後ろに次のメダルＭ（図１９に示す「Ｍ２２」）が存在していた場合、この「次のメダルＭ」は、クレジットの最大数を超過したメダルＭであるので、メダル出口１８から送り出すのではなく、メダル流路１１から下方へ排出してメダル払出口６ａから払い出すようにしなければならない。
このため、主制御部７は、ブロッカー１３のメダル支持部１３１を支持位置から排出位置へ移動させる。ところが、この移動は機械的な動きであるので、その支持位置から排出位置まで移動するのに所定の時間を必要とする。
【００８９】
これに対し、「次のメダルＭ」は、メダル投入口２から投入されたものであり、所定の速度をもってメダル流路１１を通っていく。
ここで、「Ｍ２１」として示されたメダルＭを投入検知センサ１５が検知してから、「次のメダル」である「Ｍ２２」をメダル流路１１から排出させるようにブロッカー１３のメダル支持部１３１が排出位置に移動するまでの時間をガイド部材移動時間とすると、このガイド部材移動時間が開始してから終了するまでの間に、「次のメダル」である「Ｍ２２」は、メダル流路１１を移動してしまう。
このように「次のメダル」である「Ｍ２２」が移動した場合でも、当該「次のメダル」がメダル流路１１から排出されるように、ブロッカー１３のメダル支持部１３１の下流側の端部１３２がメダル流路１１を挟んで投入検知センサ１５に対向する位置の近傍に位置している。
すなわち、ブロッカー１３のメダル支持部１３１の下流側の端部１３２が配置される位置は、ガイド部材移動時間が開始してから終了するまでの間に「次のメダル」がメダル流路１１を移動したときの移動後の「次のメダル」を支持可能な位置、又はこれよりもメダル流路１１の下流側に位置している。
このような位置となるようにブロッカー１３を設けることにより、クレジットの枚数が最大数に達した後に投入されたメダルＭを確実にメダル流路１１から排出させて、メダル払出口６ａから払い出すようにすることができる。
【００９０】
（ｅ）メダル流路
メダル流路１１は、メダル投入口２に投入されたメダルＭがメダルセレクタ１０の内部を通過するときに通る通路である。
このメダル流路１１には、当該メダル流路１１を通過するメダルＭの円形表面に対向する壁面部１１ａが形成されている（図３、図５参照）。また、この壁面部１１ａは、起立状態で通過するメダルＭの円形表面に対向する面である壁面部表面１１ｂを有している。
この壁面部表面１１ｂは、メダルセレクタ１０がスロットマシン１の前扉１ａの裏面に取り付けられた状態においては、ほぼ垂直な面となっている。
【００９１】
このように、壁面部表面１１ｂをほぼ垂直な面とすることにより、このメダル流路１１におけるメダルＭの詰まりを防止できる。
例えば、壁面部表面１１ｂが垂直な面ではなく、当該面が斜め上方又は斜め下方を向くような傾斜した面であるとする。
この場合、メダルＭは、メダル投入口２に投入されるときには、ほぼ垂直方向に起立した状態で投入されるが、傾斜した壁面部表面１１ｂに差しかかると、この傾斜に応じてメダルＭも傾くようになる。つまり、メダルＭは、メダル流路１１を通過するときに、垂直方向に起立した姿勢から傾いた姿勢に体勢を変化させなければならなくなる。
これに伴い、メダルＭは、円形表面や周面が壁面部表面１１ｂやブロッカー１３に衝突しやすくなり、この衝突に起因してメダルＭの流下が抑制され、メダル流路１１の途中で流下を停止するなどして、詰まりが発生することがある。
【００９２】
これに対し、壁面部表面１１ｂがほぼ垂直な面であるときは、ほぼ垂直方向に起立した姿勢でメダル投入口２に投入されたメダルＭが、この姿勢を維持しながら、メダル流路１１を通過することができる。
このため、メダルＭは、メダル流路１１を通過するときに、壁面部表面１１ｂやブロッカー１３に衝突することがなくなるので、このメダルＭがメダル流路１１の途中で流下を停止する事態も生じなくなる。
このことから、壁面部表面１１ｂをほぼ垂直な面とすることにより、このメダル流路１１におけるメダルＭの詰まりを防止できる。
【００９３】
なお、このように壁面部表面１１ｂをほぼ垂直な面とすることを可能としたのは、ブロッカー１３のメダル支持部１３１がメダル流路１１の下側に位置しているためである。
例えば、ブロッカー１３のメダル支持部１３１がメダル流路１１の上側に位置している場合、このメダル支持部１３１にメダルＭを支持させるために、メダル流路１１の壁面部表面１１ｂを斜め下向きの面にし、この傾斜面に応じてメダルＭを傾かせて当該メダルＭの上端部をメダル支持部１３１に支持させるようにしなければならない。そうすると、メダルＭは、メダル流路１１を通過するときに、垂直方向に起立した姿勢から傾いた姿勢に体勢を変化しなければならなくなるので、詰まりが発生することがある。
これに対し、ブロッカー１３のメダル支持部１３１をメダル流路１１の下側に位置させたときには、メダルＭの重心方向にメダル支持部１３１が位置しているため、このメダルＭを垂直方向に起立した姿勢で維持させることができる。これにより、メダル流路１１の壁面部表面１１ｂを傾斜面にする必要がないことから、この壁面部表面１１ｂをほぼ垂直な面とすることができる。
【００９４】
なお、このように本実施形態のメダルセレクタ１０は、メダルＭの詰まりが想定されないため、詰まったメダルＭを返却するための返却ボタンが設けられていない。
【００９５】
（ｆ）投入口側検知センサ
投入口側検知センサ１４は、メダル投入口２に投入されたメダルＭを検知するためのセンサであり、メダル流路１１においてブロッカー１３よりも上流側に設けられている。
この投入口側検知センサ１４は、踏み板状の可動部材１４１と、この可動部材１４１の動きに連動して変位する変位部材１４２と、この変位部材１４２が変位したことを検知すると検知信号を出力して主制御部７へ送る変位検知センサ１４３とを備えている（図３参照）。
【００９６】
可動部材１４１は、ほぼ矩形の板状に形成されており、この矩形板状における四つの側面のうち一の側面１４１ａがメダル流路１１の上流側を向いており、この一の側面１４１ａに対向する側面１４１ｂがメダル流路１１の下流側を向くように、メダル流路１１に設けられている。
また、可動部材１４１は、一の側面１４１ａがメダル流路１１の壁面部表面１１ｂよりも若干、メダルセレクタ１０の裏側へずれた箇所に位置しているが、一の側面１４１ａに対向する側面１４１ｂは、メダル流路１１の壁面部表面１１ｂよりも前方に位置している。
さらに、可動部材１４１は、メダル流路１１の壁面部長さＨＮに沿う方向が回動軸の軸方向となるように、メダルセレクタ１０の基部１９に対して軸支されている。
このため、可動部材１４１は、メダル投入口２に投入されたメダルＭが当該可動部材１４１に当接すると、回動軸を中心として回動する。そして、この可動部材１４１の回動にともなって変位部材１４２が変位すると、この変位を検知した変位検知センサ１４３がＯＮを示す検知信号を出力して主制御部７へ送る。
【００９７】
ここで、可動部材１４１は、流路直交方向ＲＴに沿う方向の長さＹＮが壁面部長さＨＮとほぼ同じ長さ、又は、壁面部長さＨＮよりも若干長い長さに形成されている（図３参照）。
可動部材１４１の長さＹＮをこのような長さとすることにより、この可動部材１４１が設置された箇所を通過するメダルＭを確実に検知することができる。
【００９８】
また、可動部材１４１の長さＹＮをこのような長さとすることにより、この可動部材１４１が設置された箇所に挿入された不正器具を確実に検知することができる。
不正器具には様々な形態のものがあるが、例えば、その不正器具あるいはその部品の形状として棒状のものやチューブ状のものがある。
ここで、可動部材１４１の長さＹＮが壁面部長さＨＮよりも短い場合には、この可動部材１４１の側部とメダル流路１１の側部との間に隙間ができるので、例えば棒状の不正器具をその隙間に挿入することが可能となる。そうすると、この可動部材１４１を含む投入口側検知センサ１４は、その不正器具を検知できないので、不正にメダルＭが払い出される事態が生じてしまう。
【００９９】
これに対し、可動部材１４１の長さＹＮが壁面部長さＨＮと同じかあるいはこれよりも長い場合には、この可動部材１４１の側部とメダル流路１１の側部との間には隙間ができないので、例えば棒状の不正器具がメダル投入口２から挿入されると、この不正器具が可動部材１４１に必ず当接する。そうすると、この可動部材１４１を含む投入口側検知センサ１４は、その不正器具を確実に検知できる。
そして、投入口側検知センサ１４は、不正器具の検知にもとづいてＯＮを示す検知信号を主制御部７へ送るが、主制御部７は、このＯＮを示す検知信号にもとづいて、異常が発生したことを検出できる。例えば、投入口側検知センサ１４から送られてきた検知信号がＯＦＦからＯＮに遷移したタイミングと、その後に投入検知センサ１５から送られてきた検知信号がＯＦＦからＯＮに遷移したタイミングとの時間間隔が所定の時間よりも短い時間であるときは、これら投入口側検知センサ１４と投入検知センサ１５がいずれも正規のメダルＭを検知したと判定する。これに対し、その時間間隔が所定の時間よりも長い時間であるときは、不正行為等の異常の発生したものと判定できる。この場合、主制御部７は、異常が発生したことを示す報知を実行することで、その異常の発生を遊技場の店員に知らせることができる。
【０１００】
以上説明したように、本実施形態の遊技機によれば、メダルセレクタのメダル流路において、フォトセンサである投入検知センサがメダルを検知している期間の前後に亘って当該メダルを検知する監視センサを備えたことにより、投入検知センサの誤動作を目的として挿入された不正器具を確実に検知することができる。
また、メダルセレクタのメダル流路において、メダル出口の近傍に、突出方向がメダル出口に向かう方向で配置された出口センサを備えることにより、メダル出口から逆流してきたメダルのそれ以上の進入を阻止できる。
さらに、主制御部においては、監視センサがＯＮ、投入検知センサがＯＮ、出口センサがＯＮ、投入検知センサがＯＦＦ、出口センサがＯＦＦ、監視センサがＯＦＦという時系列順で、各センサのＯＮ状態とＯＦＦ状態が遷移したものと判断した場合にメダルを検出したと判定することとしたので、不正行為の介在が困難となり、この不正行為の発生を阻止できる。
【０１０１】
以上、本発明の遊技機の好ましい実施形態について説明したが、本発明に係る遊技機は上述した実施形態にのみ限定されるものではなく、本発明の範囲で種々の変更実施が可能であることは言うまでもない。
例えば、上述した実施形態においては、メダルセレクタが備えられる遊技機の例としてスロットマシンを挙げたが、遊技機は、スロットマシンに限るものではなく、遊技媒体としてメダルを使用する遊技機、例えば、雀球やアレンジボールなどであってもよい。また、スロットマシンの場合は、封入式のスロットマシンであってもよい。
【０１０２】
また、上述した実施形態においては、監視センサと投入検知センサと出口センサのそれぞれから出力された検知信号にもとづいて、主制御部がメダルを検出し、あるいは、異常の発生を検出することとしたが、例えば、投入口側検知センサから出力された検知信号にもとづいてメダルの検出や異常発生の検出を行ってもよい。例えば、主制御部は、投入口側検知センサから出力されたＯＮを示す検知信号を受信したタイミングから、投入検知センサから出力されたＯＮを示す検知信号を受信したタイミングまでの経過時間を計測し、この経過時間が所定時間以内であれば、正規のメダルを検出したものと判断し、一方、その経過時間が所定時間以上であれば、異常が発生したものと判断するようにしてもよい。
【０１０３】
さらに、メダルセレクタに備えられる投入検知センサと、監視センサの変位検知センサと、出口センサの変位検知センサと、投入口側検知センサの変位検知センサは、いずれもフォトセンサを用いることを想定しているが、フォトセンサに限るものではなく、近接センサ、静電容量センサなどを用いてもよい。
【符号の説明】
【０１０４】
１  スロットマシン（遊技機）
７  主制御部
１０  メダルセレクタ
１１  メダル流路
１１ａ  壁面部
１２  ソレノイド（ガイド部材制御部）
１３  ブロッカー（ガイド部材）
１３２  ブロッカーの下流側の端部
１５  投入検知センサ（第二センサ）
１６  監視センサ（第一センサ）
１６１  可動部材
１６１ａ  踏み板部
１７  出口センサ（第三センサ）
Ｍ  メダル
ＨＮ  壁面部長さ
ＸＮ  監視センサの踏み板部の長さ
Ｐ１〜Ｐ３  検知信号
【図１】
0006504427.tif 000002
【図２】
0006504427.tif 000003
【図３】
0006504427.tif 000004
【図４】
0006504427.tif 000005
【図５】
0006504427.tif 000006
【図６】
0006504427.tif 000007
【図７】
0006504427.tif 000008
【図８】
0006504427.tif 000009
【図９】
0006504427.tif 000010
【図１０】
0006504427.tif 000011
【図１１】
0006504427.tif 000012
【図１２】
0006504427.tif 000013
【図１３】
0006504427.tif 000014
【図１４】
0006504427.tif 000015
【図１５】
0006504427.tif 000016
【図１６】
0006504427.tif 000017
【図１７】
0006504427.tif 000018
【図１８】
0006504427.tif 000019
【図１９】
0006504427.tif 000020